(57)【要約】      （修正有）【課題】フット部の衣服圧分布を考慮することにより、快適な着用感となるストッキングを提供すること。【解決手段】もっとも長い足指の末節骨先端部および踵骨の踵部においてかかる衣服圧の双方ともが、中足骨部の周囲（足の第１中足骨と第５中足骨部の足先側の先端を結ぶ方向の周囲）にかかる衣服圧に対し−３ｋＰａから＋３ｋＰａの範囲にあるストッキング。より好ましくは、もっとも長い足指の末節骨先端部および踵骨の踵部においてかかる衣服圧の双方ともが６ｋＰａ未満で、かつ中足骨の周囲（足の第１中足骨と第５中足骨部の足先側の先端を結ぶ方向の周囲）にかかる衣服圧が３ｋＰａ以上、足首部が１ｋａ以上である前記のストッキング。【選択図】図１
2007031860.tif 000002
【特許請求の範囲】
【請求項１】
もっとも長い足指の末節骨先端部および踵骨の踵部においてかかる衣服圧の双方ともが、中足骨部の周囲（足の第１中足骨と第５中足骨部の足先側の先端を結ぶ方向の周囲）にかかる衣服圧に対し−３ｋＰａから＋３ｋＰａの範囲にあることを特徴とするストッキング。
【請求項２】
もっとも長い足指の末節骨先端部および踵骨の踵部においてかかる衣服圧の双方ともが６ｋＰａ未満で、かつ中足骨の周囲（足の第１中足骨と第５中足骨部の足先側の先端を結ぶ方向の周囲）にかかる衣服圧が３ｋＰａ以上、足首部が１ｋａ以上であることを特徴とする請求項１記載のストッキング。
【請求項３】
ストッキングの各部位の編目密度が、中足骨部周辺で１００〜１２０、足先部および踵部で３０〜６０、足首部で３０〜１２０であることを特徴とする、請求項１または請求項２記載のストッキング。
【発明の詳細な説明】
【技術分野】
【０００１】
本発明は、パンティストッキング、タイツ、ハイソックスなど、足のフット部（爪先部から踵までの部位）を覆って着用するストッキングに関するものである。
【背景技術】
【０００２】
従来より、パンティストッキング、タイツ、ハイソックスなどのストッキングに関しては、その製造方法や製品について、多くの文献が知られている（例えば、特許文献１及び２参照。）。
【特許文献１】特許第３３８６３０９号公報
【特許文献２】特開２００１−３１６９０２号公報
【０００３】
また、レッグ部においてかかる衣服圧を部分的に考慮し、レッグ部のしめつけ感を快適にすることをめざしたものが見受けられる。これらはすでに多くの製品が作成され、現在市販されているものの多くがいわゆる「快適着圧設計」になっている。これらは主として足首をもっとも強くする一方、下腿部から大腿部方向に向けて段階的に弱くする設計になっており、その着用感は快適なものである。
【０００４】
しかしながら、これら公知のストッキングにおいては、レッグ部（足首から大腿部にかけての部位）のみの衣服圧を考慮したものばかりが見掛けられ、フット部における考慮がなされておらず、フット部の快適性についての考え方が欠如している。
【０００５】
このような状況を鑑み、本発明者は、ストッキングのフット部における衣服圧について、着用時の快適性の観点から詳細に研究し、本発明に至った。
【発明の開示】
【発明が解決しようとする課題】
【０００６】
本発明は前記のような従来技術の課題を解決しようとするものであって、フット部の衣服圧分布を考慮することにより、快適な着用感となるストッキングを提供することを課題とするものである。
【課題を解決するための手段】
【０００７】
１．本発明者は上記課題を解決するため、鋭意研究した結果、遂に本発明を完成するに到った。即ち、本発明は以下の構成よりなる。もっとも長い足指の末節骨先端部および踵骨の踵部においてかかる衣服圧の双方ともが、中足骨部の周囲（足の第１中足骨と第５中足骨部の足先側の先端を結ぶ方向の周囲）にかかる衣服圧に対し−３ｋＰａから＋３ｋＰａの範囲にあることを特徴とするストッキング。
２．もっとも長い足指の末節骨先端部および踵骨の踵部においてかかる衣服圧の双方ともが６ｋＰａ未満で、かつ中足骨の周囲（足の第１中足骨と第５中足骨部の足先側の先端を結ぶ方向の周囲）にかかる衣服圧が３ｋＰａ以上、足首部が１ｋａ以上であることを特徴とする上記第１記載のストッキング。
３．ストッキングの各部位の編目密度が、中足骨部周辺で１００〜１２０、足先部および踵部で３０〜６０、足首部で３０〜１２０であることを特徴とする、上記第１または上記第２記載のストッキング。
【発明の効果】
【０００８】
本発明によるストッキングは、もっとも長い足指の末節骨先端部および踵骨の踵部においてかかる衣服圧の双方ともが、中足骨部の周囲足の第１中足骨と第５中足骨部の足先側の先端を結ぶ方向の周囲）にかかる衣服圧に対し−３ｋＰａから＋３ｋＰａの範囲の衣服圧を示すことにより、快適な着用感が得られるという利点がある。さらに、足首の衣服圧は低くなりすぎず、足首部がゆるく不快になることも防ぐストッキングである。
【発明を実施するための最良の形態】
【０００９】
以下、本発明について詳述する。
【００１０】
もっとも長い末節骨先端部、踵骨の踵部、および中足骨部の周囲の位置を図２に示す。骨格は図１に示すとおりである。第１中足骨、第５中足骨、長軸方向についても、図１に記載する。本発明のストッキングは、もっとも長い足指の末節骨先端部および踵骨の踵部においてかかる衣服圧の双方ともが、中足骨部の周囲足の第１中足骨と第５中足骨部の足先側の先端を結ぶ方向の周囲）にかかる衣服圧に対し、−３ｋＰａから＋３ｋＰａの範囲にある。該衣服圧が−３ｋＰａより低いとストッキングの編地がよれたり余ったりして、しわができて見苦しくなったり、着用感が不快になるので好ましくない。逆に、＋３ｋＰａより高いと、足指の動きが妨げられて、きつくて不快になり、さらには、足指の先端がストッキングに押されて足指が曲げられてしまい、足骨格が自然な状態でなくなる。従って、−３ｋＰａから＋３ｋＰａの衣服圧が好ましいが、望ましくは、０ｋＰａから＋３ｋＰａの範囲だと足指を開く力が作用し、足骨格を正常に保つ効果を発揮することができる。
【００１１】
また、本発明のストッキングは、もっとも長い足指の末節骨先端部および踵骨の踵部においてかかる衣服圧の双方ともが６ｋＰａ未満で、かつ中足骨の周囲足の第１中足骨と第５中足骨部の足先側の先端を結ぶ方向の周囲）にかかる衣服圧が３ｋＰａ以上、足首部が１ｋＰａ以上であるストッキングである。もっとも長い足指の末節骨先端部および踵骨の踵部においてかかる衣服圧の双方ともが６ｋＰａ以上であると、足指の先端がストッキングに押されて足指が曲げられてしまい、足骨格が自然な状態でなくなる。したがって、６ｋＰａ未満が適切であるが、５ｋＰａ未満であるとより足骨格に負担をかけないので好ましい。中足骨の周囲足の第１中足骨と第５中足骨部の足先側の先端を結ぶ方向の周囲）にかかる衣服圧が３ｋＰａ未満であると、ストッキングを構成する編地がよれたり余ったりして、しわができて見苦しく、かつ、着用感も不快になるので好ましくない。したがって、３ｋＰａ以上が適切であるが、４ｋＰａ以上であると、足指を開く力が作用し、足骨格を正常に保つ効果を発揮することができる。さらに、足首部は１ｋＰａ以上であることが必要である。１ｋＰａ未満であると、たよりない着用感になり、しわができることもある。１ｋＰａ以上であると、適度なしめつけ感があり快適に感じるが、より好ましくは、２ｋＰａ以上であると快適感が向上する。
【００１２】
本発明のストッキングは、中足骨部を締めると、足の指先が開くことが期待できる。これは、医学的に見て良い方向とされている。また、中足骨部が固定されることで、第一中足骨および第五中足骨が開かず、かつ、足裏のアーチが形成されやすく、その結果正しい歩行が可能になる。
【００１３】
もっとも長い足指の末節骨先端部および踵骨の踵部においてかかる衣服圧が６ｋＰａ以上であると、しめつけ感がきつくなって、着用感が悪くなる。さらには、細かい骨が集まっている足先骨格の変形をもたらし、中足骨が開いて、外反母趾、内反小趾をもたらす可能性がでてくる。
【００１４】
以上より、足長手方向には、衣服圧が小さいことが、着用感においても、足骨格においても望ましく、足周長方向には、衣服圧が大きいことが、着用感においても、足骨格においても望ましいのである。
【００１５】
本発明の、編目密度は、１インチあたりのウェール方向の編目数（１）、１インチあたりのコース方向の編目数（２）を求め、（１）×（２）で示す。試料は、置き寸での実測値を用いる。尚、測定部位は、足のサイズが２３ｃｍのモニターが着用したときの位置に相当する部分を置き寸位置で把握して測定する。モニターでなくとも、Ｍサイズの脚型に着用させ測定部位に印をつけ、その後置き寸での編目密度を測定しても良い。
【００１６】
中足骨部の編目密度は、１００から１２０であることが必要である。１００以下であると、中足骨部周長方向のしめつけが弱く、快適な着用感が得られない。また、足指を開き、正常な足骨格を形成する力が作用しにくい。２００以上になると、着用するときにはきにくくなるので適切ではない。望ましくは、１１０〜１２０であると、中足骨を十分に締めることができる。足先部および踵部の編目密度は、３０から６０であることが必要である。３０以下であると、編地がだぶついて、外観上も着用感でも好ましくない。また、６０以上であると、足指先から指を曲げるような力が作用して、足骨格にやさしくなく、かつ、着用感でも不快感が増す。望ましくは、３０から５０であると、足指先に無理な力がはたらかず、ごく自然に足指を動かすことができる。足首部の編目密度は、３０から１２０であることが必要である。３０以下であると、外観上もしわができやすく良くない上に、着用感でもたよりなく不快感が増す。１２０以上であると、着用感は快適であるが、着用するときにはきにくいという問題が生じる。望ましくは、５０から１１０であると、適度なしめつけ感が生じ快適に感じる。
【００１７】
ストッキング着用時の衣服圧測定には、市販の衣服圧測定装置であるＡＭＩ社製エアパック式衣服圧測定装置（型式１３０３７−１０）を用いた。この装置は、エアパックと呼ばれる袋状の圧力センサを用い、一定量の空気をパックに封入しておき、パックを押しつぶす力を衣服圧として読み取るものである。本装置の取扱い方法にのっとり、所定量の空気をエアパックに封入し、調整の済んだパックを人体足部の爪先部および踵部に貼り付けて、ストッキング着用時の衣服圧を測定するものである。８ｍｍ×２８ｍｍの細長い形状のエアパックを用い、曲率の大きい足の部位でも圧力が垂直方向にかかるようにして測定した。
【実施例】
【００１８】
次に実施例及び比較例を用いて、本発明を具体的に説明する。以下のストッキングの製造方法は、実施例になんら限定されず、公知の方法を採用してもかまわない。
その足の部位の圧力分布を適切にする設計になっていることで実現が可能である。以下、実施例、比較例は、ハイソックスタイプで評価したが、パンティストッキングでも同様である。
【００１９】
実施例、比較例のストッキングについて、もっとも長い足指の末節骨先端部、踵骨の踵部においてかかる衣服圧、および中足骨の周囲（足の第１中足骨と第５中足骨部の足先側の先端を結ぶ方向の周囲）にかかる衣服圧、および足首部の衣服圧を測定した。また以下の方法で着用試験を実施した。
【００２０】
衣服圧測定は、前項述記載のＡＭＩ社製エアパック式衣服圧測定装置を使用した。フット部の形状が特殊でなく、親指がもっとも長いオブリーク型（エジプト型）の足先を持つ足長２３ｃｍのモニター１名を被験者として、親指先端部の爪先部、踵部および中足骨部、足首部における衣服圧を、エアパックセンサを取り付けて測定した。
【００２１】
着用試験は、オブリーク型の足先形状を持つ女性被験者５名に、１回３時間づつ着用させ、３時間着用後の感覚について、フット部の着用感の良さについて回答させた。
【００２２】
（実施例１）
ポリウレタン繊維フィラメント糸（２２デシテックス、２フィラメント）を芯糸とし、被覆糸としてポリアミド繊維フィラメント糸（７デシテックス、３フィラメント）をそれぞれ使用し、上記芯糸のポリウレタン繊維フィラメント糸を３．３倍にドラフトし、その上に被覆糸のポリアミド繊維フィラメント糸を、下撚り撚り回数２７００回／ｍ、上撚り２４００回／ｍにそれぞれ設定し、かつ下撚りおよび上撚りの撚り方向を反対にして巻付けてダブルカバリング糸を製造した。このダブルカバリング糸と１７デシテックス、５フィラメントのポリアミド繊維フィラメント糸を針本数４００本、口径４インチのストッキング編機に１コース交互に供給して、ダブルカバリングヤーン交編タイプのストッキングを編成した。ただし中足骨部にかかる編成部については、別糸としてポリウレタン繊維フィラメント糸（１１０デシテックス、５フィラメント）を引き揃えて同時に編み込むプレーティング組織とした。編成後、通常の方法にて染色、ファイナルセットを行って、製品を得た。
【００２３】
（実施例２）
ポリウレタン繊維フィラメント糸（３３デシテックス、３フィラメント）を芯糸とし、被覆糸としてポリアミド繊維フィラメント糸（１３デシテックス、７フィラメント）をそれぞれ使用し、上記芯糸のポリウレタン繊維フィラメント糸を３．３倍にドラフトし、その上に被覆糸のポリアミド繊維フィラメント糸を、撚り回数２５００回／ｍで巻きつけてシングルカバリング糸を製造した。このシングルカバリング糸と１７デシテックス、３フィラメントのポリアミド繊維フィラメント糸を針本数４００本、口径４インチのストッキング編機に１コース交互に供給して、シングルカバリングヤーン交編タイプのストッキングを編成した。このとき、中足骨部にかかる編成部については、編目密度を高める工夫をした。編成後、通常の方法にて染色、ファイナルセットを行って、製品を得た。
【００２４】
（実施例３）
ポリウレタン繊維フィラメント糸（３３デシテックス、３フィラメント）を芯糸とし、被覆糸としてポリアミド繊維フィラメント糸（１３デシテックス、７フィラメント）をそれぞれ使用し、上記芯糸のポリウレタン繊維フィラメント糸を３．３倍にドラフトし、その上に被覆糸のポリアミド繊維フィラメント糸を、撚り回数２５００回／ｍで巻きつけてシングルカバリング糸を製造した。このシングルカバリング糸と１７デシテックス、３フィラメントのポリアミド繊維フィラメント糸を針本数４００本、口径４インチのストッキング編機に１コース交互に供給して、シングルカバリングヤーン交編タイプのストッキングを編成した。このとき、中足骨部にかかる編成部については、編目密度を高める工夫をした。編成後、通常の方法にて染色、ファイナルセットを行って、製品を得た。尚、熱セットに用いる足型は、中足骨部に相当する部分の幅を１ｃｍ狭くし、中足骨部分の衣服圧が高くなるように設計した。
【００２５】
（実施例４）
ポリウレタン繊維フィラメント糸（３３デシテックス、３フィラメント）を芯糸とし、被覆糸としてポリアミド繊維フィラメント糸（１３デシテックス、７フィラメント）をそれぞれ使用し、上記芯糸のポリウレタン繊維フィラメント糸を３．３倍にドラフトし、その上に被覆糸のポリアミド繊維フィラメント糸を、撚り回数２５００回／ｍで巻きつけてシングルカバリング糸を製造した。このシングルカバリング糸と１７デシテックス、３フィラメントのポリアミド繊維フィラメント糸を針本数４００本、口径４インチのストッキング編機に１コース交互に供給して、シングルカバリングヤーン交編タイプのストッキングを編成した。このとき、中足骨部にかかる編成部については、度目を高める工夫をした。さらに、編成後、通常の方法にて染色、ファイナルセットを行って、製品を得た。尚、熱セットに用いる足型は、中足骨部に相当する部分の幅を１ｃｍ狭くし、中足骨部分の衣服圧が高くなるように設計した。
【００２６】
（実施例５）
ポリウレタン繊維フィラメント糸（３３デシテックス、３フィラメント）を芯糸とし、被覆糸としてポリアミド繊維フィラメント糸（１３デシテックス、７フィラメント）をそれぞれ使用し、上記芯糸のポリウレタン繊維フィラメント糸を３．３倍にドラフトし、その上に被覆糸のポリアミド繊維フィラメント糸を、撚り回数２５００回／ｍで巻きつけてシングルカバリング糸を製造した。シングルカバリングヤーンでゾッキタイプのストッキングを編成した。編成後、通常の方法にて染色、ファイナルセットを行って、製品を得た。尚、熱セットに用いる足型は、足長手方向が２７ｃｍと通常の足型に対し長い足型にし、足長手方向の衣服圧が高くならないように設計し、かつ、着用時に中足骨部に相当する部分の幅を１ｃｍ狭くし、中足骨部分の衣服圧が高くなるように設計した。
【００２７】
（比較例１）
ポリウレタン繊維フィラメント糸（２２デシテックス、２フィラメント）を芯糸とし、被覆糸としてポリアミド繊維フィラメント糸（７デシテックス、３フィラメント）をそれぞれ使用し、上記芯糸のポリウレタン繊維フィラメント糸を３．３倍にドラフトし、その上に被覆糸のポリアミド繊維フィラメント糸を、下撚り撚り回数２７００回／ｍ、上撚り２４００回／ｍにそれぞれ設定し、かつ下撚りおよび上撚りの撚り方向を反対にして巻付けてダブルカバリング糸を製造した。このダブルカバリング糸と１７デシテックス、５フィラメントのポリアミド繊維フィラメント糸を針本数４００本、口径４インチのストッキング編機に１コース交互に供給して、ダブルカバリングヤーン交編タイプのストッキングを編成し、通常の方法にて染色、ファイナルセットを行って、製品を得た。
【００２８】
（比較例２）
ポリウレタン繊維フィラメント糸（３３デシテックス、３フィラメント）を芯糸とし、被覆糸としてポリアミド繊維フィラメント糸（１３デシテックス、７フィラメント）をそれぞれ使用し、上記芯糸のポリウレタン繊維フィラメント糸を３．３倍にドラフトし、その上に被覆糸のポリアミド繊維フィラメント糸を、撚り回数１８００回／ｍに設定して巻付けたシングルカバリング糸を製造した。このシングルカバリング糸と１２デシテックス、３フィラメントのポリアミド繊維フィラメント糸を針本数４４０本、口径４インチのストッキング編機に１コース交互に供給して、シングルカバリングヤーン交編タイプのストッキングを編成し、通常の方法にて染色、ファイナルセットを行って、製品を得た。
【００２９】
（比較例３）
ポリウレタン繊維フィラメント糸（３３デシテックス、３フィラメント）を芯糸とし、被覆糸としてポリアミド繊維フィラメント糸（１３デシテックス、７フィラメント）をそれぞれ使用し、上記芯糸のポリウレタン繊維フィラメント糸を３．３倍にドラフトし、その上に被覆糸のポリアミド繊維フィラメント糸を、撚り回数１８００回／ｍに設定して巻付けたシングルカバリング糸を製造した。このシングルカバリング糸だけで針本数４４０本、口径４インチのストッキング編機でシングルカバリングヤーンゾッキタイプのストッキングを編成し、通常の方法にて染色、ファイナルセットを行って、製品を得た。
【００３０】
（表１）に、実施例、比較例に用いたストッキングの、もっとも長い足指の末節骨先端部の衣服圧、踵骨の踵部においてかかる衣服圧、中足骨部の周囲にかかる衣服圧、および、３時間後のフット部から足首部の着用感を示す。
【００３１】
【表１】
2007031860.tif 000003
【００３２】
実施例は、着用感に優れるのに対し、比較例は不快に感じることを確認した。
【産業上の利用可能性】
【００３３】
本発明によるストッキングは、フット部の着用感が優れるだけでなく、医学的にも外反母趾、内反小趾、巻爪など、足先トラブルによる負担を和らげ、それらの傷病についても予防効果が期待できるストッキングとなることから、日常衣料の分野において貢献するところが大である。
【図面の簡単な説明】
【００３４】
【図１】足骨格において、中足骨部を示す模式図である。
【図２】本発明のストッキングのフット部において、もっとも長い足指の末節骨先端部、踵骨の踵部、および中足骨部の周囲部を示す模式図である。
【図１】
2007031860.tif 000004
【図２】
2007031860.tif 000005